(57)【特許請求の範囲】
【請求項１】
ハニカムパネルにその肉厚方向に貫通する貫通孔を設け、この貫通孔に、外周面が前記貫通孔の内周面に接着され、かつ底部にボルト孔を有するブッシングを挿入し、このブッシングのボルト孔に固定ボルトを挿通して前記ハニカムパネルを構造体に固定するハニカムパネルの固定構造において、
前記ブッシングを、ハニカムパネルの前面側から貫通孔に挿入され、かつ底部にボルト孔を有する第１の筒状部材と、ハニカムパネルの裏面側から貫通孔に挿入される第２の筒状部材とから構成し、第２の筒状部材に前記固定ボルトが挿通される挿通孔を設けるとともに、前記第２の筒状部材の内部に前記挿通孔より大径の抜止め部材を前記固定ボルトに係合して設け、
前記第１の筒状部材と第２の筒状部材の底部相互間にはハニカムパネルの肉厚に応じた隙間が形成され、この隙間は接着剤またはポッテング材が充填されることを特徴とするハニカムパネルの固定構造。
【請求項２】
前記第１の筒状部材及び第２の筒状部材にはハニカムパネルの貫通孔の開口縁部に係合するフランジ部が一体に設けられていることを特徴とする請求項１記載のハニカムパネルの固定構造。
【請求項３】
前記第１の筒状部材のボルト孔は、外底部方向に突出する突出筒部を有し、この突出筒部に第２の筒状部材の挿通孔が嵌合されることを特徴とする請求項１記載のハニカムパネルの固定構造。
【発明の詳細な説明】
【０００１】
【発明の属する技術分野】
この発明は、例えば、有人宇宙船の内装材として用いられるハニカムパネルを構造体に固定するハニカムパネルの固定構造に関する。
【０００２】
【従来の技術】
有人宇宙船の内装材としてはハニカムパネルが使用されているが、このハニカムパネルを構造体に固定して内装を構成する場合、ハニカムパネルに固定ボルトを直接貫通して構造体に締め付けると、ハニカムパネルが固定ボルトの頭部の面圧で潰れてしまうという問題がある。
【０００３】
そこで、従来においては、図４に示すようなハニカムパネルの固定構造を採用している。すなわち、ハニカムパネル１にその肉厚方向に貫通する貫通孔２が設けられ、この貫通孔２にはブッシング３が挿入されている。ブッシング３は合成樹脂材料によって有底筒状に成形され、底部にはボルト孔４が設けられ、開口部にはフランジ部５が設けられている。
【０００４】
そして、ハニカムパネル１を構造体６に固定して内装を構成する場合には、貫通孔２の内周面に接着剤７（またはポッテング材）を塗布した後、ブッシング３を貫通孔２に挿入してブッシング３をハニカムパネル１に接着固定する。次に、固定ボルト８を構造体6のねじ穴9にねじ込むことにより、ブッシング3のフランジ部５が貫通孔2の開口縁部に接合しているので、ブッシング3を介してハニカムパネル1を構造体6に固定している。
【０００５】
【発明が解決しようとする課題】
ところが、ブッシング3は寸法精度にバラツキがなく成形されているものの、ハニカムパネル1は成形時の微妙なバラツキがあり、ハニカムパネル1が肉薄の場合には、図5に示すようにハニカムパネル1の裏面と構造体６との間に隙間ｇができてしまい、ハニカムパネル１を構造体６に強固に固定できない。また、ハニカムパネル１が肉厚の場合には、図６に示すようにブッシング３の外底部と構造体６との間に隙間ｇができてしまい、固定ボルト８の締め付けによってフランジ部５が貫通孔２の開口縁部を強く押し付け、ハニカムパネル１を変形させてしまうという問題がある。
【０００６】
また、接着剤７の接着力が不足していたり、剥がれたりした場合、固定ボルト８を緩め、軌道上でハニカムパネル１を構造体６から取り外した場合には、図７に示すようにブッシング３が固定ボルト８とともにハニカムパネル１から離脱し、無重力状態ではこれらが浮遊してしまうという問題がある。
【０００７】
また、ハニカムパネル１の肉厚のバラツキを吸収するために、図８に示すように、ブッシング３からフランジ部５を取り除いた場合、接着剤７の接着力が不足していると、固定ボルト８を緩めることなく、２点鎖線で示すようにハニカムパネル１が構造体６から離脱してハニカムパネル１が無重力状態で浮遊してしまうという問題がある。
【０００８】
この発明は、前記事情に着目してなされたもので、その目的とするところは、ハニカムパネルの肉厚のバラツキを吸収して確実に固定できるとともに、ハニカムパネルとブッシングとの接着の不完全や発射時の衝撃で接着部が剥がれても、固定ボルトやブッシングが浮遊することがなく、従来の問題を解消できるハニカムパネルの固定構造を提供することにある。
【０００９】
【課題を解決するための手段】
この発明は、前記目的を達成するために、請求項１は、ハニカムパネルにその肉厚方向に貫通する貫通孔を設け、この貫通孔に、外周面が前記貫通孔の内周面に接着され、かつ底部にボルト孔を有するブッシングを挿入し、このブッシングのボルト孔に固定ボルトを挿通して前記ハニカムパネルを構造体に固定するハニカムパネルの固定構造において、
前記ブッシングを、ハニカムパネルの前面側から貫通孔に挿入され、かつ底部にボルト孔を有する第１の筒状部材と、ハニカムパネルの裏面側から貫通孔に挿入される第２の筒状部材とから構成し、第２の筒状部材に前記固定ボルトが挿通される挿通孔を設けるとともに、前記第２の筒状部材の内部に前記挿通孔より大径の抜止め部材を前記固定ボルトに係合して設け、
前記第１の筒状部材と第２の筒状部材の底部相互間にはハニカムパネルの肉厚に応じた隙間が形成され、この隙間は接着剤またはポッテング材が充填されることを特徴とする。
【００１０】
請求項２は、請求項１の前記第１の筒状部材及び第２の筒状部材にはハニカムパネルの貫通孔の開口縁部に係合するフランジ部が一体に設けられていることを特徴とする。
【００１２】
請求項３は、請求項１の前記第１の筒状部材のボルト孔は、外底部方向に突出する突出筒部を有し、この突出筒部に第２の筒状部材の挿通孔が嵌合されることを特徴とする。
【００１３】
請求項１によれば、第１の筒状部材と第２の筒状部材とによってブッシングを構成することにより、ハニカムパネルの肉厚寸法のバラツキを吸収することができ、またハニカムパネルと構造体とのクリアランスを一定にできる。さらに、接着不足により剥がれても、抜止め部材によってブッシングが離脱することはなく、浮遊を防止でき、特に第１の筒状部材と第２の筒状部材の底部相互間の隙間に接着剤またはポッテング材が充填され、両部材を強固に結合できる。
【００１４】
請求項２によれば、第１と第２の筒状部材のフランジ部によってハニカムパネルとブッシングを強固に固定できる。
【００１６】
請求項３によれば、第１の筒状部材と第２の筒状部材との位置決めができ、接着剤またはポッテング材の流れ出しを防止できる。
【００１７】
【発明の実施の形態】
以下、この発明の実施の形態を図面に基づいて説明する。
【００１８】
図１はハニカムパネルの固定構造の縦断側面図、図２はハニカムパネルに対するブッシングの固定状態を示す縦断側面図である。
【００１９】
図１及び図２に示すように、例えば、有人宇宙船の内装材として使用されるハニカムパネル１１にはその肉厚方向に貫通する貫通孔１２が設けられ、この貫通孔１２にはブッシング１３が挿入されている。ブッシング１３は合成樹脂材料によって成形された第１の筒状部材１４と第２の筒状部材１５とから構成されている。
【００２０】
第１の筒状部材１４は有底筒状で、その底部１４ａにはボルト孔１６が設けられ、開口部にはフランジ部１７が設けられている。ボルト孔１６は外底部方向に突出する突出筒部１６ａが設けられている。第２の筒状部材１５は底の浅い有底筒状で、その底部１５ａには突出筒部１６ａに嵌合する挿通孔１８が設けられ、開口部にはフランジ部１９が設けられている。
【００２１】
そして、第１の筒状部材１４をハニカムパネル１１の前面側から貫通孔１２に挿入し、第２の筒状部材１５をハニカムパネル１１の裏面側から貫通孔１２に挿入することにより、突出筒部１６ａに挿通孔１８が嵌合し、フランジ部１７及び１９が貫通孔１２の開口縁部に係合する。従って、第１と第２の筒状部材１４，１５によってハニカムパネル１１を挟み込むようになっている。
【００２２】
また、貫通孔１２の内周面には接着剤２０（またはポッテング材）が塗布されており、第１の筒状部材１４及び第２の筒状部材１５の外周面は貫通孔１２の内周面に接着されている。
【００２３】
第１の筒状部材１４のボルト孔１６には固定ボルト２１が挿通されており、この固定ボルト２１は第２の筒状部材１５を貫通しており、この第２の筒状部材１５の内部には固定ボルト２１に係合する抜止め部材としての例えばリティニングリング２２が設けられている。このリティニングリング２２は挿通孔１８より大径であり、リティニングリング２２が第２の筒状部材１５に係合して分離できないようになっている。
【００２４】
次に、ハニカムパネル１１を構造体２３に固定して有人宇宙船等の内装を構成する作用を説明する。まず、貫通孔１２の内周面に接着剤２０（またはポッテング材）を塗布した後、第１の筒状部材１４をハニカムパネル１１の前面側から貫通孔１２に挿入し、第２の筒状部材１５をハニカムパネル１１の裏面側から貫通孔１２に挿入することにより、突出筒部１６ａに挿通孔１８が嵌合し、フランジ部１７及び１９が貫通孔１２の開口縁部に係合する。
【００２５】
次に、固定ボルト２１を第１の筒状部材１４側からボルト孔１６に挿入し、この固定ボルト２１の軸部に第２の筒状部材１５側からリティニングリング２２を係合して固定ボルト２１の抜け止めを行なう。この状態で、固定ボルト２１を構造体２３のねじ穴２４にねじ込むことにより、固定ボルト２１の頭部が第１の筒状部材１４の底部１４ａに当接し、第１及び第２の筒状部材１４，１５を介してハニカムパネル１１が構造体２３に固定される。
【００２６】
このとき、ハニカムパネル１１の裏面と構造体２３とのクリアランスは第２の筒状部材１５のフランジ部１９の肉厚に相当し、クリアランスを一定にできる。また、ハニカムパネル１１の肉厚が通常より厚い場合、図３に示すように、第１の筒状部材１４と第２の筒状部材１５との間に隙間２５ができるが、この隙間２５に接着剤２０（またはポッテング材）が流れ込んで、これが硬化することによってシムとして作用し、ハニカムパネル１１の肉厚のバラツキを吸収できる。また、接着剤２０（またはポッテング材）が硬化すると、第１と第２の筒状部材１４，１５の結合強度がアップする。
【００２７】
前述のように構成されたハニカムパネルの固定構造によれば、ハニカムパネル１１は第１及び第２の筒状部材１４，１５のフランジ部１７，１９に係合し、ハニカムパネル１１がブッシング１３から離脱して浮遊することはない。また、接着剤２０の接着不足により、あるいは地上からの打上げ時の衝撃等によってハニカムパネル１１とブッシング１３との接着部が剥がれても、第１の筒状部材１４は固定ボルト２１の頭部に係合し、第２の筒状部材１５はリティニングリング２２によって抜止めされているため、第１及び第２の筒状部材１４，１５、固定ボルト２１が浮遊することはなく、構造体２３に固定された状態となり、従来の問題点を解消できる。
【００２８】
なお、前記実施形態においては、有人宇宙船の内装材としてのハニカムパネルの固定について説明したが、この発明は有人宇宙船の内装材に限定されるものではない。また、抜止め部材として固定ボルト２１にリティニングリング２２を係合したが、抜止め部材は、リティニングリングに限定されるものではなく、他の抜止め部材を用いてもよい。
【００２９】
【発明の効果】
以上説明したように、請求項１によれば、ハニカムパネルの肉厚寸法のバラツキを吸収することができ、またハニカムパネルと構造体とのクリアランスを一定にできる。さらに、接着不足により剥がれても、抜止め部材によってブッシングが離脱することはなく、浮遊を防止できる。
【００３０】
請求項２によれば、フランジ部によってハニカムパネルとブッシングを強固に固定でき、ハニカムパネルの離脱を防止できる。
【００３１】
請求項３によれば、第１の筒状部材と第２の筒状部材の底部相互間の隙間に接着剤またはポッテング材が充填され、これが硬化することによってハニカムパネルの肉厚のバラツキを吸収でき、また両部材を強固に結合できる。
【００３２】
請求項４によれば、第１の筒状部材と第２の筒状部材との位置決めができ、接着剤またはポッテング材の流れ出しを防止できる。
【図面の簡単な説明】
【図１】この発明の第１の実施形態を示すハニカムパネルの固定構造の縦断側面図。
【図２】同実施形態のハニカムパネルとブッシングの固定構造を示す縦断側面図。
【図３】同実施形態を示し、肉厚のハニカムパネルの固定状態を示す縦断側面図。
【図４】従来のハニカムパネルの固定構造の縦断側面図。
【図５】従来のハニカムパネルの固定構造の縦断側面図。
【図６】従来のハニカムパネルの固定構造の縦断側面図。
【図７】従来のハニカムパネルの固定構造の縦断側面図。
【図８】従来のハニカムパネルの固定構造の縦断側面図。
【符号の説明】
１１…ハニカムパネル
１２…貫通孔
１３…ブッシング
１４…第１の筒状部材
１５…第２の筒状部材
２０…接着剤
２１…固定ボルト
２２…リティニングリング（抜止め部材）
２３…構造体
【図１】
0004220606.tif 000002
【図２】
0004220606.tif 000003
【図３】
0004220606.tif 000004
【図４】
0004220606.tif 000005
【図５】
0004220606.tif 000006
【図６】
0004220606.tif 000007
【図７】
0004220606.tif 000008
【図８】
0004220606.tif 000009